(57)【要約】【課題】  エレベータのかご天井の保守点検や非常救出作業が行いやすいかご天井照明装置を実現すること。【解決手段】  かご天井に設けた吊天井２０の両側部に第１，第２ガイドレール２５，２６を設ける。両側にローラ２７を備えた照明板２２と、両側にローラ２８を備えた照明板２３の各ローラを第１ガイドレール２５に乗せた状態でエレベータを使用する。保守点検時等には、照明板２２を水平状態に保ったまま上昇させる。このときローラ２７は第１ガイドレール２５の切り欠き３２及び第２ガイドレール２６の切り欠き３３を通って第２ガイドレール２６に乗る。そして照明板２２，２３をそれぞれ第１，第２ガイドレール２５，２６に沿って移動させることにより、保守点検等を行う。【選択図】      図２
2006273540.tif 000002
【特許請求の範囲】
【請求項１】
エレベータかごの天井に第２天井を設けた構成のエレベータ照明装置において、前記第２天井は固定部と複数の可動部とを有し、該可動部の少なくとも１つは上昇可能でかつ上昇位置にあるときには他の可動部の上方を移動可能な構成であることを特徴とするエレベータかごの照明装置。
【請求項２】
前記可動部は二つあり、一方の可動部は上昇可能でかつ上昇位置にあるときには他の可動部上方を移動可能な構成であり、他方の可動部は前記一方の可動部が上昇位置にあるときにその下方を移動可能な構成であることを特徴とする請求項１に記載のエレベータかごの照明装置。
【請求項３】
前記一方の可動部は、下降位置とガイドレールに沿って移動可能な上昇位置とを有し、前記ガイドレールに設けられた切り欠きを通って下降位置と上昇位置間を移動可能であることを特徴とする請求項１又は２に記載のエレベータかごの照明装置。
【請求項４】
前記他方の可動部は定位置とガイドレールに沿って移動可能な可動位置を有し、前記定位置は前記ガイドレールより低い位置であることを特徴とする請求項１乃至３の何れかに記載のエレベータかごの照明装置
【発明の詳細な説明】
【技術分野】
【０００１】
本発明は、エレベータかごの天井に設置される照明装置の改良に関するものである。
【背景技術】
【０００２】
図８〜図１０は、従来のエレベータかごの天井を示す図であり、図８はかご内から天井を見上げた正面図、図９は図８のII―II線断面図、図１０は図８のIII―III線断面図である。
図において、１はエレベータかごの天井で、かご内側には吊天井２が固定され、その内部には照明灯３が設置されている。吊天井２の下面の左右方向中間部に、周囲及び中央に天井目地４を有する開口６が形成され、開口６を覆うように透光性パネルを有する左右の照明板５が設けられている。また、吊天井２の下面の左右側部には、側部開口６ａとこの開口６ａを覆う側部照明板７が配置されている。８は天井１に設けられた非常救出口である。９は照明板５の４隅に設けられた取付金、１０，１１は取付金９上部のコ字型溝９ａに収容されて取付金９に装着されたキャスター、１２は吊天井２の前後側板内面に固定されたガイドレールで、ガイドレール１２上をキャスター１０，１１が転動する。
【０００３】
照明灯３の交換や非常救出口８からの非常救出時には、図９に矢印で示すように、照明板５を左右に水平移動させて開口６を開いて行い、また矢印と逆方向に水平移動させて開口６を閉じる。
【特許文献１】実開昭６０−１７０３７４号公報
【発明の開示】
【発明が解決しようとする課題】
【０００４】
前記従来技術は、照明板５を左右に平行移動するため、図９の吊天井２の外縁から天井目地４までの間は照明板５の収納空間として残す必要があるため、開口６を広く取ることができない。そのため、非常救出時に人の出入がしにくかったり、吊天井２の端部近くの照明灯の交換がしにくくなり、また天井照明装置のデザインも制限されるという問題があった。また照明板５は水平移動するだけで簡単に開くため、いたずらで開けられる可能性があった。
【課題を解決するための手段】
【０００５】
本発明は、エレベータかごの天井に第２天井を設けた構成のエレベータ照明装置において、前記第２天井は固定部と複数の可動部とを有し、該可動部の少なくとも１つは上昇可能でかつ上昇位置にあるときには他の可動部の上方を移動可能な構成としたものである。
【０００６】
また本発明は、前記可動部は二つあり、一方の可動部は上昇可能でかつ上昇位置にあるときには他の可動部上方を移動可能な構成であり、他方の可動部は前記一方の可動部が上昇位置にあるときにその下方を移動可能な構成としたものである。
更に前記一方の可動部は、下降位置とガイドレールに沿って移動可能な上昇位置とを有し、前記ガイドレールに設けられた切り欠きを通って下降位置と上昇位置間を移動可能としたものである。
更にまた、前記他方の可動部は定位置とガイドレールに沿って移動可能な可動位置を有し、前記定位置は前記ガイドレールより低い位置としたものである。
【発明の効果】
【０００７】
本発明によれば、従来に比べ開口部を広く出来るため、照明灯の保守点検や非常救出時の作業が行いやすくなる。またデザイン的にも制限が少なくなり、いたずらされにくいという効果を有する。
【発明を実施するための最良の形態】
【０００８】
本発明の実施の形態を図１〜図７により説明する。図１は図８に相当する図、図２は図１のＡ−Ａ断面図、図３は図２のＢ−Ｂ部分断面図、図４は動作状態を示す図で図２に相当する図、図５は図４のＣ−Ｃ断面図、図６，図７は動作状態を示す図で図２に相当する図である。
図において、２０はかご天井に固定された第２天井で、従来の吊天井と同じである。２１は第２天井２０の中央に設けられた開口で、この開口を覆うように透光性パネルを有するアーチ型の照明板２２，２３が設けられている。照明板２２，２３の両側には第２天井２０に固定されたブラケット２４と、このブラケット２４に固定された第１及び第２ガイドレール２５，２６が配置されている。また照明板２２，２３の両側にはガイドレール２５，２６に沿って転動するローラ２７，２８が設けられている。２９は側部照明板である。
【０００９】
通常の状態では、図１〜図３に示すように、照明板２２，２３は第１ガイドレール２５上にある。照明板２３のローラ２８は第１ガイドレール２５に形成された凹部３１にはまり込んでいるため、照明板２２，２３は水平面内ではほとんど動くことはない。またこの状態における照明板２２のローラ２７の直上位置の、第１ガイドレール２５の上辺と第２ガイドレール２６の下辺にはそれぞれ切り欠き３２，３３が設けられており、ローラ２７が通過できるようになっている。
【００１０】
保守点検や非常救出時に照明板２２，２３を開けるときには、照明板２２を水平状態に保ったまま上昇させて、そのローラ２７を第２ガイドレール２６に乗せ（図４）、横に移動する（図６）。これにより、照明板２２があったところが開き、ここから保守点検や非常救出を行うことができる。照明板２２が第２ガイドレールに乗ると、図７のように、照明板２３を少し持ち上げて第１ガイドレール２５に乗せて移動させることができる。従って照明板２３があったところを開き、ここから保守点検や非常救出を行うこともできる。４０，４１は照明板２２，２３の移動を制限するストッパである。照明板２２，２３を閉じるときには、前記と逆の手順を実行する。
【００１１】
以上説明したように、本実施の形態は、ガイドレールが２段になっているため、照明板２２，２３のいずれの側でも開くことができる。また従来のように照明板２２，２３の側部に照明板の収納空間を残す必要がないため、第２天井２０の端部近くに照明灯がある場合でも容易に交換することが出来る。
更に照明板２２，２３を開くには照明板２２を水平状態に保ったまま上昇させなければならないため、長尺物で照明板２２，２３を押し上げるだけでは照明板２２，２３が開くことはないので、いたずらされにくい構造になっている。
【００１２】
前記実施の形態では第１及び第２ガイドレール２５，２６の上下辺に沿って転動するローラ２７，２８のみを設けており、またこれらのローラ２５，２６のみで実用上問題はないが、図１０のキャスター１０と同様に、ガイドレール２５，２６の中間部を転動するローラを設けることも可能である。また前記実施の形態では、ガイドレールを上下２本にしているが，例えば断面Ｅ形の１本のガイドレールとすることも可能である。
【図面の簡単な説明】
【００１３】
【図１】本発明の実施の形態を示す図である。
【図２】図１のＡ−Ａ断面図である。
【図３】図２のＢ−Ｂ部分断面図である。
【図４】動作状態を示す図で図２に相当する図である。
【図５】図４のＣ−Ｃ断面図である。
【図６】動作状態を示す図で図２に相当する図である。
【図７】動作状態を示す図で図２に相当する図である。
【図８】従来のエレベータかごの天井を示す図で、かご内から天井を見上げた正面図である。
【図９】図８のII―II線断面図である。
【図１０】図８のIII―III線断面図である。
【符号の説明】
【００１４】
１  エレベータかごの天井
２０  第２天井
２２，２３  照明板（可動部）
２５  第１ガイドレール
２６  第２ガイドレール
２７，２８  ローラ
３１  凹部
３２，３３  切り欠き
【図１】
2006273540.tif 000003
【図２】
2006273540.tif 000004
【図３】
2006273540.tif 000005
【図４】
2006273540.tif 000006
【図５】
2006273540.tif 000007
【図６】
2006273540.tif 000008
【図７】
2006273540.tif 000009
【図８】
2006273540.tif 000010
【図９】
2006273540.tif 000011
【図１０】
2006273540.tif 000012